Podtech/llm-jp-corpus-v4-ja_patent huggingface dataset:
(57)【要約】【課題】        電気機器のコードを収納することで見た目をきれいにし、また、コードに足を引っ掛けてつまづかないようにでき、また、着脱自在で部屋の模様替えに容易に対応できるコード収納ケースを提供すること。【解決手段】    ケースにコードを収納することで見た目を良くし、また、ケースが床に接する底面に面ファスナーのフック面を設置し、室内のニードルパンチカーペットまたは、タフテッドカーペット等に密着し、、ケースの移動、転びを防ぐことで、ケース自体に足を引っ掛けて転倒したり、コードが電気機器やコンセントから抜けるのを防ぐことができる。また、底面の面ファスナーにより床面に着脱自在である。【選択図】      図１
2006158167.tif 000002
【特許請求の範囲】
【請求項１】
ケースに単数または複数の電気機器のコードを収納する、コード収納ケース。
【請求項２】
ケースが床に接する底面に面ファスナーのフック面を配置する請求項１に記載のコード収納ケース。
【発明の詳細な説明】
【技術分野】
【０００１】本発明は、一般家庭または職場または学校および車内などで使用し、コードを収納するケースに関するものである。
【背景技術】
【０００２】従来の電気機器を取り巻く状況は、パソコンなどの発達，普及により、机の上または机やいすの周りは、コンセントまで電気コードが這っており、事務所などでは、多数のパソコンを用いるので、コードの煩雑なことはなはだしく、足で引っ掛けて転倒したり、いすで踏むなどして、人体に危険が及ぶことや、パソコンの作業が停止してしまうなど、作業効率に悪影響を来すことがあった。また、見た目も悪く、来客があっても隠すことができなかった。従来の技術では、コードケースを床に固定してしまうものがみうけられるが、容易に取り付けできず、また、部屋の模様替えなどに対応できない難点があった。
【発明が解決しようとする課題】
【０００３】従来のコードケースは床に固定してしまうので、容易に部屋の模様替えに対応できない、また、設備投資コスト大きいという課題を有していた。
【課題を解決するための手段】
【０００４】上記の課題を解決するために、本発明では、コードケースが床に接する底面に面ファスナーのフック面を配置し、ニードルパンチカーペットやタフテッドカーペットなどに着脱自在とした。
【発明を実施するための最良の形態】
【０００５】請求項１の発明は、図１のとおり、１コードケースにより、単数または複数の４コードを束ね収納することで見た目を良くすることができる。【０００６】請求項２に記載の発明は、図２のとおり、ケース底の２面ファスナーフック面が、ニードルパンチカーペットやタフテッドカーペットなどの３繊維に引っ掛かり、コード収納ケースを床のカーペットに密着させ、固定し、収納ケース自体で足を引っ掛けたり、コードが電気機器やコンセントなどから抜けるのを防ぐことができる。また、底に面ファスナーのフック面を配置することにより、床のニードルパンチカーペットやタフテッドカーペットなどに着脱可能であり、室内の模様替えなどに容易に対応できる。
【発明の効果】
【０００７】以上のように、請求項１に記載の発明によれば、単数たまは複数の電気機器のコードを束ね、収納することで見た目を良くすることができる。
【０００８】また、請求項２に記載の発明によれば、ケース底に配置してある面ファスナーのフック面が、コード収納ケースを床のカーペットに密着させ、固定し、収納ケース自体で足を引っ掛けたり、コードが電気機器やコンセントから抜けるのを防ぐことができる。また、面ファスナーのフック面により、着脱可能で、室内の模様替えなどに対応できる。また、少ない設備投資で職場や学校内または車内を美しくできる。
【図面の簡単な説明】
【０００９】
【図１】コード収納ケース説明図
【図２】コード収納ケース断面図
【符号１】
収納ケース
【符号２】
面ファスナーのフック面
【符号３】
カーペットの繊維
【符号４】
電気機器のコード
【図１】
2006158167.tif 000003
【図２】
2006158167.tif 000004
(57)【要約】【課題】  植木鉢に水をやるときに土の跳びはね・越流で周囲が汚れる。また、幼児が植木鉢の土いじりをして部屋に土がこぼれたり手が汚れる。これらの問題点を解決するための植木鉢用土カバーを提供する。【解決手段】  これらを解決するために、弧状本体１の片端に鍔２を設けて、他の片端を植木鉢の内側と土の間に挿入して取り付けて使用するもので、このような構造・使用方法の植木鉢用土カバー。【選択図】    図２
2006158363.tif 000002
【特許請求の範囲】
【請求項１】
弧状本体の片端に鍔を設けた植木鉢用土カバー
【発明の詳細な説明】
【技術分野】
【０００１】  本発明は弧状本体の片端に鍔を設けた植木鉢用土カバーに関するものである。
【背景技術】
【０００２】  従来、植木鉢の上部にカバーを取り付けて周囲を汚れないように防止する物品はなかった。
【発明の開示】
【発明が解決しようとする課題】
【０００３】  そのため、植木鉢に水をやるときに土が跳びはね周囲を汚すことがある。また、植木鉢が倒れて土がこぼれて後始末に困ることがある。されに、幼児が観葉植物の植木鉢に手を入れて指を汚すことがある。本発明は、これらの問題点を解決するために考え出されたものである。
【課題を解決するための手段】
【０００４】  上記の課題を達成するために、本発明の植木鉢用土カバーは、弧状本体１の片端に鍔２を設けて他の片端を植木鉢の内側と土の間に挿入して取り付け使用することにより課題を達成するものである。
【発明の効果】
【０００５】  本発明は、上記で説明したように構成され、植木鉢に取り付け使用されるので、次に記載されるような効果を発揮する。【０００６】  第一には、植木鉢に水をやるとき土の跳びはね・越流を防ぐことができる。【０００７】  第二には、植木鉢が倒れたとき土がこぼれるのを最小限に防ぐことができる。【０００８】  第三には、幼児が植木鉢に手を入れる行為を防ぐことができる。【０００９】  第四には、植木鉢の拭き掃除の際に雑巾に土がつかずに簡単にできる。
【発明を実施するための最良の形態】
【００１０】  発明の実施の形態を図面に基づいて説明する。第一には、各図から分かるように、半円形柱等の片端周囲に鍔を設けることを特徴としている。そのことで土の跳びはね・越流、幼児が植木鉢に手を入れる行為を防ぐことができる。【００１１】  第二には、植木鉢の大きさに応じて鍔を適宜、長く・短くすることで全体の美観や上記の防止効果を最良にできる。【００１２】  第三には、鍔を長くした場合には、鍔に小穴を多数設けることによって空気の流通を良くすることができる。【００１３】  第四には、本物品を透明物で製作することによって日光が土に当たり、カバーの無い自然の状態とほぼ同じにできる。【００１４】  第五には、植木鉢の形態（丸型・吊り下げ形・壁掛け形等）に合わせて製作することにより、形態に合った効果が発揮できる。【００１５】  第六には、植木鉢の形態に合わせて、適宜、何分割かにすることで植木鉢への取り付けが簡便にできる。
【図面の簡単な説明】
【００１６】
【図１】平面図
【図２】正面図
【図３】背面図
【図４】底面図
【図５】右側面図
【図６】使用状態断面図
【符号の説明】
【００１７】      １  弧状本体      ２  鍔      ３  植木鉢
【図１】
2006158363.tif 000003
【図２】
2006158363.tif 000004
【図３】
2006158363.tif 000005
【図４】
2006158363.tif 000006
【図５】
2006158363.tif 000007
【図６】
2006158363.tif 000008
(57)【要約】【課題】従来の魚釣りに用いる一体型ジグ本体は、単一の材料で造られており、動きを演出するため重量配分を変えようとすると、幅又は厚さを変えなければならず、形状設計に制限がある。【解決手段】比重の違う二種類の金属を接合、固定して、本体が作られており、形状設計の自由度を確保したうえ、重量配分を変えられる一体型ジグである。【選択図】図１
2006158368.tif 000002
【特許請求の範囲】
【請求項１】
比重の違う二種類の金属を接合、固定して、本体が構成されることを特徴とする魚釣り用の一体型ジグ。
【発明の詳細な説明】
【技術分野】
【０００１】この発明は、魚釣りに用いる一体型ジグの構造に関する。
【背景技術】
【０００２】従来の魚釣りに用いる一体型のジグの構造は、図３および図４に示すように、本体は、単一の材料で造られている。
【発明の開示】
【発明が解決しようとする課題】
【０００３】しかしながら、以上の技術によれば、動きを演出するための重量配分を変えるには、図３のように幅又は図４のように厚さを変えなければならず、形状設計の自由度が限られる。そこで、この発明は、形状設計に自由度を持たせ、重量配分を変化させることができる釣り用ジグを提供することを課題とする。
【課題を解決するための手段】
【０００４】以上の課題を解決するために、比重の違う二種類の金属を接合、固定して、本体が構成されること特徴とする魚釣り用のジグである。
【発明の効果】
【０００５】この発明によれば、形状設計に自由度を持たせうえ、重量配分を変えられるので、形状設計の自由度を広げることができる。
【発明を実施するための最良の形態】
【０００６】この発明の実施形態を、図１および図２に示す。
ジグの本体は、金属製であり、比重の違う二種類の金属を接合、固定して作られている。ジグの使用に際し、接合部が容易に変形しないように、充分な強度を持った方法、材料で固定される。【０００７】金属１は、例えば鉛等からなり、金属２は、例えばアルミニューム等からなる。金属１と金属２は、例えばネジ、接着剤等で接合、固定される。【０００８】この実施形態によれば、たとえば、前部を比重の重い金属、後部を比重の軽い金属で構成すれば、ジグを水中に投下したとき、頭を下にして逃げまどう小魚を演出できる。また、前部を比重の軽い金属、後部を比重の重い金属で構成すれば、水中での降下速度を速くできる。
【図面の簡単な説明】
【０００９】
【図１】この発明の第一実施形態を示す側面図である。
【図２】この発明の第二実施形態を示す側面図である。
【図３】従来技術の第一実施形態を示す斜視図である。
【図４】従来技術の第二実施形態を示す斜視図である。
【符号の説明】
【００１０】      １  比重の重い金属      ２  比重の軽い金属      ３  接合、固定部
４  釣糸、釣針取り付け部      ５  義眼
【図１】
2006158368.tif 000003
【図２】
2006158368.tif 000004
【図３】
2006158368.tif 000005
【図４】
2006158368.tif 000006
(57)【要約】【課題】  従来の植物への水分の補給には、補給時期や補給手間等の問題があった。これは、土の中の湿度状況が分らなかったからである。また、補給のための水が鉢に無かったからである。【解決手段】水分の補給時期を知るために、土の中に各植物ごとに適した湿度に設定した湿度センサーを入れ湿度が設定以下になった時に発光ダイオードを点灯させるのである。また、水分の補給手間を省くために保水部のある鉢と補給水管を組合わせ毛細管現象を利用し水分を補給させたのである。【選択図】  図１
2006158365.tif 000002
【特許請求の範囲】
【請求項１】
補給用保水部のある鉢に、湿度センサー・ボリーム・アンプ・発光ダイオード・電源からなる湿度管理灯を入れ、そして保水部と鉢の中を結ぶ補給水管・毛細管紐により水分を補給させた湿度管理灯・補給水管のある鉢。
【請求項２】
草・花・樹木用にさせたもので、湿度センサー・ボリューム・アンプ・発光ダイオード・電源からなり設定湿度以下になった時に発光ダイオードを点灯させるようにした湿度管理灯。
【請求項３】
補給用保水部のある鉢。
【請求項４】
補給水管の中に毛細管紐を入れ毛細管現象により水分補給させた補給水管。
【発明の詳細な説明】
【技術分野】
【０００１】  本発明は、草・花・樹木等の鉢植えや植樹に関する。
【背景技術】
【０００２】  従来の草・花・樹木等の水補給管理には、水を定期的に流し込んだり、鉢によっては鉢の受け皿に水を貯めさせ下から吸い上げさせたりしていたものである。【０００３】  水補給管理の多くは、見た目とか勘に頼っていたのである。【０００４】  また、補給方法といえば、薬剤・栄養補給等のために或る量の入った容器を口を開け逆さに差し込むといったものがある。
【発明の開示】
【発明が解決しようとする課題】
【０００５】  以上に述べたように、従来の鉢植や植樹したものに対する水の補給は、見た目とか勘に頼っていて失敗していたのである。【０００６】  本発明は、水補給のタイミングの失敗による問題を解決しようとするものであり、水分を必要としている時期を知り、適量の補給も実現できることを目的とするものである。
【課題を解決するための手段】
【０００７】  そして、本発明は上記目的を達成するために、補給用保水部のある鉢に、湿度センサー・ボリューム・アンプ・発光ダイオード・電源からなる湿度管理灯を入れ、そして保水部と鉢の中を結ぶ補給水管・毛細管紐により水分を補給させた湿度管理灯・補給水管のある鉢を設けたものである。【０００８】  また、第２の課題解決手段は、水の補給タイミングを知るために、草・花・樹木用にさせたもので、湿度センサー・ボリューム・アンプ・発光ダイオード・電源からなり、設定湿度以下になった時に発光ダイオードを点灯させるようにした湿度管理灯を設けたものである。【０００９】  また、第３の課題解決手段は、水分補給間隔時間を永くするために補給用保水部のある鉢と、補給水管の中に毛細管紐を入れ毛細管現象により水分補給させた補給水管を組合わせたものを設けたものである。【００１０】  上記第１の課題解決手段による作用は次の通りである。すなわち、湿度管理灯により鉢植された草・花・樹木への水分補給の適した時期を知ることができ、しかも補給用保水部と補給水管があることにより水分補給間隔時間が永くなり、そのための手間と時間を省くことができる。【００１１】  また、第２の課題解決手段による作用は、湿度管理灯を設けたことによりその植物に適した水分補給時期を的確に知ることができ、水不足や水のやり過ぎと云ったことが解消できる。【００１２】  また、第３の課題解決手段による作用は、鉢に補給用保水部と補給水管を設けたことにより水分補給間隔時間を永くできるため、家を空けられる時間が永く取れ有効に使うことができる。
【発明の効果】
【００１３】  上述したように本発明の湿度管理灯は、その植物に適した水分補給時期を知ることができ、地植や鉢植等の愛好家に好まれるものとして提供できる。【００１４】  また、鉢の補給用保水部と補給水管は、鉢植愛好家にとって楽しみながらも手間が掛かっていることへの省力化を提供できる。
【発明を実施するための最良の形態】
【００１５】  以下、本発明の実施の形態を図１〜図４に基づいて説明する。【００１６】  図においては、「図２」のごとく、湿度センサー１・ボリューム２・アンプ３・発光ダイオード４・電源５を「図３」にある電気系統図のようにし保護カバー６・透明カバー７・下部カバー８・上部耐水パッキン９・下部耐水パッキン１０・に収納した湿度管理灯である。【００１７】  また、「図４」のごとく、補給水管１２の中に毛細管紐１３を通した補給水管である。【００１８】  そして、「図１」のごとく、保水部ａを設けた鉢１１の中に、上述した湿度管理灯と補給水管を組合わせたものである。【００１９】  以下、上記構成の動作を説明する。一実施例として図示している「図１」にある通り、湿度管理灯を土の中の根に当たる部分まで差し込むのである。その湿度管理灯の設定温度を例えば８０％にしたとするならば、土の中の根に当たる部分の湿度が８０％以下になった時に発光ダイオード４が点灯するのである。このように水分の補給時期を知ることができるのである。【００２０】  また、保水部ａのある鉢１１と補給水管を組合わせることにより、鉢の中の水分が不足してくると毛細管現象により補給水管１２の中にある毛細管紐１３を伝わり水分が補給されるのである。【００２１】  以上のように、本実施形態によれば、植物ごとの水分の補給時期を知ることができ、また水分の補給間隔時間を永くできるのでその手間と時間も有効活用できることになり、よりこれまで以上の植物の数や種類に挑戦できる自信ができ、そして趣味の視野を広げられる等大きな効果を得られるのである。
【図面の簡単な説明】
【００２２】
【図１】  本発明の一実施形態を示す湿度管理灯・補給水管・鉢の略図
【図２】  本発明の一実施形態を示す湿度管理灯の部分断面図
【図３】  本発明の一実施形態を示す湿度管理灯の電気系統図
【図４】  本発明の一実施形態を示す補給水管の部分断面図
【符号の説明】
【００２３】  １    湿度センサー
２    ボリューム
３    アンプ
４    発光ダイオード
５    電源
６    保護カバー
７    透明カバー
８    下部カバー
９    上部耐水パッキン
１０    下部耐水パッキン
１１    鉢
１２    補給水管
１３    毛細管紐
ａ    保水部
【図１】
2006158365.tif 000003
【図２】
2006158365.tif 000004
【図３】
2006158365.tif 000005
【図４】
2006158365.tif 000006
(57)【要約】【課題】従来のアンプル形栄養剤・活力剤・肥料及び保水剤は樹脂で成型している為、環境に悪影響を及ぼし、また、一度限りの使用の為、繰返し再利用することが出来ない。また、毎日の水遣りも行わなければならなく、外出・出張等で家を留守にする時は、植物への水遣りに支障をきたす。【解決手段】本発明は、上記目的を達成する為に、不織シートを使用しそれを袋状に形成し、中に吸収ポリマーを挿入し利用する。その不織シートの中に栄養剤・活力剤・肥料・消臭剤のいずれか一点以上を挿入し利用する。【選択図】図４
2006158369.tif 000002
【特許請求の範囲】
【請求項１】
袋状に形成された不織シートの中に、吸収ポリマーと肥料・活力剤・消臭剤のいずれか一点以上挿入し、水を含ませ、植物の培養土の上に置いて、徐々に水・肥料等を供給するシステム。
【発明の詳細な説明】
【技術分野】
【０００１】  本発明は園芸・農業における水、肥料等の供給システムに関するものである。
【背景技術】
【０００２】  従来の水、肥料等の供給システムに使用されている容器は、樹脂にて成型されていた。【０００３】  従来の水、肥料等の供給システムは、使用に限り一回だけしか使えなかった。【０００４】  花・植物に対し、毎日の水遣りの手間が非常にかかっていた。【０００５】  外出・出張等で家を留守にする時、植物への水遣りが出来なかった。【０００６】
【非特許文献１】「ヨーキ産業株式会社  製品案内」ヨーキ産業株式会社  １９９８年９月  ｐ．１・ｐ．２・ｐ．３
【非特許文献２】「伝説  ＮＥＷ  ＢＬＥＥＤ  新世代」大原種苗株式会社  ２００３年  ｐ．５０６・ｐ．５２７
【発明の開示】
【発明が解決しようとする課題】
【０００７】  従来の水、肥料等の供給システムは、樹脂で成型しているため、環境に悪影響を及ぼす。【０００８】  従来の水、肥料等の供給システムは、一度限りの使用のため、繰返し再利用することが出来ない。【０００９】  花・植物に対し、毎日水遣りを行わなければならない。【００１０】  外出・出張等で家を留守にする時、植物への水遣りが出来ない。
【課題を解決するための手段】
【００１１】  本発明は、上記目的を達成するために、不織シートを使用する。【００１２】  不織シートを袋状に形成し、中に吸収ポリマーを挿入し利用する。【００１３】  また、その不織シートを袋状に形成し、中に吸収ポリマーと栄養剤・活力剤・肥料・消臭剤のいずれか一点以上を挿入し利用する。【００１４】  上記吸収ポリマー等挿入した不織シートに水を含ませ、植物の培養土の上に置き、徐々に水・肥料等を供給する。【００１５】  水・肥料等給水後の、しぼんだ不織シートは、再度水を含ませ、繰返し利用する。
【発明の効果】
【００１６】  本発明は、不織シートを使用することで、従来の樹脂等とは異なり、環境への影響を与えない。【００１７】  本発明は、不織シートと給水ポリマーを使用することで、従来一度限りしかで使用できなかったものが、繰返し再利用が可能となる。【００１８】  本発明は、不織シートを使用することで、植物に対して、一度に多くの栄養剤・活力剤・肥料及び保水剤が供給されることなく、徐々に時間をかけ、供給することが可能となる。【００１９】  本発明は、不織シートに吸収ポリマーを挿入することで、水遣りの手間が減少され、外出・出張の不在時においても、水遣りが軽減される。
【発明の実施するための最良の形態】
【００２０】  以下、本発明の実施の形態を図１〜図６に基づいて説明する。
【００２１】  不織シートに吸収ポリマーと栄養剤・活力剤・肥料・消臭剤のいずれか一点以上を挿入する。（図１）
【００２２】  その不織シートを容器に入れた水の中へ浸し、十分に水分を吸収させる。（図２）
【００２３】  十分に水分を吸収させた不織シートを植物の培養土の上に置く。（図４）
【００２４】  栄養剤・活力剤・肥料及び保水剤が無くなってくると、徐々に膨らみが減少する。（図５）
【００２５】  再度、その不織シートを容器に入れた水の中へ浸し、十分に水分を吸収させる。（図６）
【００２６】  上記の工程を繰り返す。
【図面の簡単な説明】
【００２７】
【図１】    袋状にした不織シートに吸収ポリマーと栄養剤・活力剤・肥料・消臭剤のいずれか一点以上を挿入した状態
【図２】    不織シートを容器に入れた水の中へ浸し、十分に水分を吸収させている状態
【図３】    その不織シートが十分に水分を吸収した状態
【図４】    十分に水分を吸収させた不織シートを植物の培養士の上に置いた状態
【図５】    袋状にした不織シートの中の栄養剤・活力剤・肥料及び保水剤が無くなり、膨らみが減少した状態
【図６】    再度、その不織シートを容器に入れた水の中へ浸し、再利用する為、十分に水分を吸収させている状態
【符号の説明】
【００２８】  １  袋状にした不織シート
２  吸収ポリマーと栄養剤・活力剤・肥料・消臭剤
３  不織シートに水分を吸収させる器
４  吸収ポリマーと栄養剤・活力剤・肥料・消臭剤のいずれか一点以上を挿入し袋状にした不織シート
５  水
６  膨張した不織シート
７  植物
８  培養土
９  植木鉢
１０  膨らみが減少した不織シート
【図１】
2006158369.tif 000003
【図２】
2006158369.tif 000004
【図３】
2006158369.tif 000005
【図４】
2006158369.tif 000006
【図５】
2006158369.tif 000007
【図６】
2006158369.tif 000008
(57)【要約】【課題】従来の造血器腫瘍の遺伝子診断は、オーダーメイドのものであった。このような従来の検査が有していた問題を解決し、一般臨床へのレディーメイド化を実現することを目的とする。【解決手段】ＩｇＨ遺伝子は、基本のＶＤＪ領域の再構成後のＶ・Ｄ・Ｊ接合体（ＣＤＲＩＩＩ）を、サザン法では、Ｊ領域に対するＪＨプローブ（ＬＪＨ，ＶＬＪＨ）を使用し、ＰＣＲ法では、Ｖ領域に対するプライマーＦＲ３ＡとＪ領域に対するプライマーＬＪＨとＶＬＪＨを使用したＳｅｍｉ−ｎｅｓｔｅｄ  ＰＣＲ法を用いた。ＴＣＲ遺伝子は、基本のＶＤＪ領域の再構成後のＶ・Ｄ・Ｊ接合体（Ｖデルタ１・Ｄ・Ｊデルタ１）を、Ｖ領域中のＶデルタ１に対するプライマーＤ３とＪ領域中のＪデルタ１に対するプライマーＤ４、Ｖ領域の外側に対するプライマーＤ１とＪ領域の外側に対するプライマーＤ６を使用したＮｅｓｔｅｄ  ＰＣＲ法を用いた。これにより、検査法の自動化と検査キットが完成でき、一般臨床の現場でレディーメイド化できる。【特許請求の範囲】
【請求項１】
ＩｇＨ（Ｉｍｍｕｎｏｇｌｏｂｌｉｎ  Ｈｅａｖｙ  Ｃｈａｉｎ）遺伝子は、Ｇｅｒｍ  ｌｉｎｅでは、Ｖ領域（Ｖ１，Ｖ２・・Ｖｎ）、Ｄ領域（Ｄ１，Ｄ２，・・Ｄｎ）、Ｊ領域（Ｊ１，Ｊ２・・Ｊｎ）であり、再構成後にＩｇＨ遺伝子特有のＶ・Ｄ・Ｊ接合体（ＣＤＲＩＩＩ）ができる。この特有の接合体を検出するために、サザン法では、Ｊ領域に対するＪＨプローブ（ＬＪＨ，ＶＬＪＨ）を使用し、ＰＣＲ法では、Ｖ領域に対するプライマーＦＲ３ＡとＪ領域に対するプライマーＬＪＨとＶＬＪＨを使用した。ＴＣＲ（Ｔ  Ｃｅｌｌ  Ｒｅｃｅｐｔｏｒ）遺伝子は、Ｇｅｒｍｌｉｎｅでは、Ｖ領域（Ｖデルタ１，Ｖデルタ２・・Ｖデルタｎ）、Ｄ領域（Ｄデルタ１，Ｄデルタ２，Ｄデルタ３）、Ｊ領域（Ｊデルタ１，Ｊデルタ２・・Ｊデルタｎ）であり、再構成後にＴＣＲ遺伝子特有のＶ・Ｄ・Ｊ接合体（Ｖデルタ１・Ｄ・Ｊデルタ１）ができる。この特有の接合体を検出するために、ＰＣＲ法で、Ｖ領域中のＶデルタ１に対するプライマーＤ３とＪ領域中のＪデルタ１に対するプライマーＤ４、Ｖ領域の外側に対するプライマーＤ１とＪ領域の外側に対するプライマーＤ６を使用した。以上のように、本実施形態によれば精度の高いレディーメイド検査を実現することができる造血器腫瘍の遺伝子診断。
【請求項２】
さらに検出感度を高めるために、Ｎｅｓｔｅｄ  ＰＣＲ法を設けた請求項１記載の造血器腫瘍の遺伝子診断。
【発明の詳細な説明】
【技術分野】
【０００１】本発明は、一般臨床への普及を図った造血機腫瘍の遺伝子診断に関する。
【背景技術】
【０００２】従来の造血器腫瘍の遺伝子診断は、衛生検査所等でのオーダーメイドのものがある。【０００３】
【非特許文献１】「造血器腫瘍の遺伝子診断」、第５１回日本臨床検査医学学会総会、臨床病理誌捕冊（総会抄録集）、２００４年、ｐ．１９６
【発明の開示】
【発明が解決しようとする課題】
【０００４】従来の造血器腫瘍の遺伝子診断は、オーダーメイドのものである。【０００５】本発明は、このような従来の検査が有していた問題を解決しようとするものであり、一般臨床へのレディーメイド化を実現することを目的とするものである。
【課題を解決するための手段】
【０００６】そして、本発明は上記目的を達成するために検査法の自動化と検査キットの完成を設けたものである。【０００７】また、第２の課題解決手段は、Ｎｅｓｔｅｄ  ＰＣＲ法を用いたものである。【０００８】上記第１の課題解決手段による作用は次の通りである。すなわち、検査法の自動化と検査キットの完成において、一般臨床の現場でレディーメイド化できる。【０００９】また、第２の課題解決手段による作用は、Ｎｅｓｔｅｄ  ＰＣＲ法を用いたことにより検査方法が簡素化されるため、さらに一般臨床の現場でレディーメイド化できるという効果を発揮する。
【発明の効果】
【００１０】上述したように本発明の造血器腫瘍の遺伝子診断は、一般臨床の現場でレディーメイド化することができ、一般臨床での精度の高いレディーメイド検査を提供できる。【００１１】また、Ｎｅｓｔｅｄ  ＰＣＲ法を用いたため、さらに精度が上昇するという効果を発揮するものである。
【発明を実施するための最良の形態】
【００１２】以下、本発明の実施の形態を説明する。【００１３】ＩｇＨ（Ｉｍｍｕｎｏｇｌｏｂｌｉｎ  Ｈｅａｖｙ  Ｃｈａｉｎ）遺伝子は、Ｇｅｒｍ  ｌｉｎｅでは、Ｖ領域（Ｖ１，Ｖ２・・Ｖｎ）、Ｄ領域（Ｄ１，Ｄ２，・・Ｄｎ）、Ｊ領域（Ｊ１，Ｊ２・・Ｊｎ）であり、再構成後にＩｇＨ遺伝子特有のＶ・Ｄ・Ｊ接合体（ＣＤＲＩＩＩ）ができる。【００１４】この特有の接合体を検出するために、サザン法では、Ｊ領域に対するＪＨプローブ（ＬＪＨ，ＶＬＪＨ）を使用し、ＰＣＲ法では、Ｖ領域に対するプライマーＦＲ３ＡとＪ領域に対するプライマーＬＪＨとＶＬＪＨを使用した。【００１５】さらに、検出感度を高めるために、Ｓｅｍｉ−ｎｅｓｔｅｄ  ＰＣＲ法を用いた。【００１６】ＴＣＲ（Ｔ  Ｃｅｌｌ  Ｒｅｃｅｐｔｏｒ）遺伝子は、Ｇｅｒｍ  ｌｉｎｅでは、Ｖ領域（Ｖデルタ１，Ｖデルタ２・・Ｖデルタｎ）、Ｄ領域（Ｄデルタ１，Ｄデルタ２，Ｄデルタ３）、Ｊ領域（Ｊデルタ１，Ｊデルタ２・・Ｊデルタｎ）であり、再構成後にＴＣＲ遺伝子特有のＶ・Ｄ・Ｊ接合体（Ｖデルタ１・Ｄ・Ｊデルタ１）がでる。【００１７】この特有の接合体を検出するために、Ｖ領域中のＶデルタ１に対するプライマーＤ３とＪ領域中のＪデルタ１に対するプライマーＤ４、Ｖ領域の外側に対するプライマーＤ１とＪ領域の外側に対するプライマーＤ６を使用する。【００１８】さらに、検出感度を高めるために、Ｎｅｓｔｅｄ  ＰＣＲ法を用いた。以上のように、本実施形態によれば精度の高いレディーメイド検査が実現するものである。
(57)【要約】【課題】従来の酸やアルカリによる加水分解によって卵殻膜分解物を得る方法では、卵殻膜の分解に長時間を要するとともに、予め卵殻と卵殻膜を分離しておく必要があり、工程が煩雑であり、得られる卵殻膜加水分解物は、卵殻膜のタンパク質が分解されすぎてしまって、コラーゲン、コラーゲン分解物のみを分離精製することは困難であった。【解決手段】卵殻膜が付着した状態の卵殻を粉砕し、粉砕した卵殻を溶液中で超音波を照射することにより、上記卵殻膜からコラーゲンを含む加水分解タンパク質を抽出した。【選択図】図１
2006158354.tif 000002
【特許請求の範囲】
【請求項１】
卵殻膜を溶液中で超音波を照射することにより、卵殻膜からコラーゲンを含む加水分解タンパク質を抽出することを特徴とする、超音波を用いた卵殻膜からのコラーゲンを含む卵殻膜加水分解タンパク質の抽出方法。
【発明の詳細な説明】
【技術分野】
【０００１】
この発明は、超音波を用いた卵殻膜からのコラーゲンを含む卵殻膜加水分解タンパク質の抽出方法に関する。
【背景技術】
【０００２】
卵殻膜は、古くから創傷の治療などに利用されてきた。この卵殻膜をいろんなものに添加して使用し易くするため、卵殻膜を強酸や強アルカリの溶液に入れ、加熱し還流状態で卵殻膜を加水分解して卵殻膜分解物を得る方法がある（例えば、特許文献１）。
【０００３】
さらに、異臭、着色がない卵殻膜分解物を作るため、アルカリ性の含水有機溶媒中で卵殻膜を加水分解して卵殻膜分解物を得る方法（特開平１−２７５５１２）がある（例えば、特許文献２）。
【０００４】
また、酢酸な等の弱酸性の溶液に浸漬することにより卵殻膜からコラーゲンを含むタンパク質が溶液中に抽出されることが知られている。
【特許文献１】特開昭４８−４０９６８号公報
【特許文献２】特開平１−２７５５１２号公報
【発明の開示】
【発明が解決しようとする課題】
【０００５】
これまでの方法は卵殻膜を加水分解する前に、あらかじめ卵殻と卵殻膜を分離しておく必要があった。卵殻膜と卵殻の分離には、破砕した卵殻を水中に入れて撹拌や超音波照射によって剥離する方法や、卵殻を酸性水溶液に浸漬して卵殻のみを溶かす方法があるが、機械的な分離では分離の効率が悪い。超音波照射による分離では超音波発生のために大量のエネルギーを必要とする。さらに、卵殻の溶解は酸に浸漬する必要があり、長時間を要する。いずれの方法でも経済的に効率が悪いと考えられる。
【０００６】
卵殻膜を酸やアルカリで加水分解するとことによって得られる卵殻膜加水分解物は、卵殻膜のタンパク質が分解されすぎてしまって、コラーゲン、コラーゲン分解物のみを分離精製することは困難である。
【０００７】
化学物質により卵殻膜を加水分解すると未溶解の卵殻膜も化学物質の浸食を受けて大きく変性してしまう。
【課題を解決するための手段】
【０００８】
発明者は、上記の目的を達しようと鋭意研究した結果、本発明を完成した。卵殻膜に超音波を照射することによってタンパク質加水分解物を抽出することを特徴とするものである。
【０００９】
以下、本発明を詳細に説明する。本発明でいう卵殻膜の加水分解物とは、鳥卵の卵殻の内側にある卵殻膜を加水分解したものをいう。卵殻膜の代表的な例として鶏卵の卵殻膜が挙げられる。
【００１０】
本発明の卵殻膜分解物は、化粧品、医薬、食品などの原料として使用することができる。
【００１１】
以下、本発明の卵殻膜分解物の代表的製造方法について述べる。まず、殻付鶏卵を割卵して卵液を除去して卵殻を得、この卵殻を水洗した後、破砕してから水中に入れ超音波を照射することにより、卵殻膜加水分解物を抽出し、卵殻膜加水分解物含有溶液をえる。
【００１２】
このようにして得られた卵殻膜の加水分解物は、分解物が溶液中に存在したままとしてもよいが、通常溶解していない成分と分離するためのフィルター濾過遠心分離、酸剤を添加してのｐＨ調整（中和処理）、ミクロフィルターによる除菌処理、電気透析などの脱塩処理などを行って精製する。さらに、必要に応じて乾燥して製品とする。
【発明の効果】
【００１３】
本発明によれば、超音波によって抽出される卵殻膜加水分解物中にはコラーゲン、コラーゲン分解物が含まれており、またこれをゲル化することによりコラーゲンを容易に分離精製することが可能である。
【実施例】
【００１４】
以下、実施例により本発明の方法をさらに具体的に説明する。卵殻を割卵して卵液を除き、得られた卵殻を水洗してから、直径５ｍｍのメッシュを通過するように卵殻を粉砕した。この卵殻２２５０ｇと水２６３０ｍＬを混合し１３００Ｗ、１５ＫＨｚ、４Ａの超音波を、４分間照射し、卵殻膜加水分解物含有溶液を得た。
【００１５】
試験例＜分解物の組成の調査＞本発明により得られた、卵殻膜加水分解物含有溶液中にコラーゲンが含まれていることを確認するために、実施例で得られた卵殻膜加水分解物含有溶液（本発明品）を使用し、下記の条件で電気泳動（SDS-PAGE）を行った。コラゲナーゼタイプＩ（和光純薬）0.01mgをバッファー（Tris ５００ｍM, NaCl  ２M, CaCl  ２１mM, NaN3 0.2%）0.1mLに溶解し、卵殻膜加水分解物含有溶液中1mLと混合し、３７℃で一晩反応させ、電気泳動を行いコラーゲンが分解されていることを確認した。その結果は図１に示すとおりである。
その結果は図１に示すとおりである。タンパク質の分子量マーカーはBIO RAD protein standard IIを用いた、分子量は高分子側からそれぞれ97400, 66200, 55000, 42700, 40000 kDaである。
【図面の簡単な説明】
【００１６】
【図１】本発明による卵殻膜加水分解物にコラーゲンが含有されていることを示すための写真である。
【図１】
2006158354.tif 000003
(57)【要約】      （修正有）【課題】透明体のペットボトル状容器を応用した新芽保護容器を提供する。【解決手段】透明体のペットボトル状容器１の上部に通気孔２を設け、容器１の側面全周に複数の通気孔３を設ける。下部は容器１の側面全周に山形状の差し込み部４を設ける。容器１は新芽に太陽光を充分供給することにより、保温効果と成長を促進させるために透明なものを使用する。通気孔２は新芽に水を噴霧するために設ける。通気孔２，３は新芽の呼吸を助けると同時に、保温が過度にならないために設ける。通気孔３は害虫から新芽を保護するために苗床に露出した容器１の高さの半分から上の位置に設ける。以上の構成を特徴とする、野菜の新芽を保護する新芽保護容器である。【選択図】図１
2006158371.tif 000002
【特許請求の範囲】
【請求項１】
透明体の容器の上部に通気孔と側部に通気孔を設け、さらに容器の下部に差し込み部を設けたことを特徴とする新芽保護容器。
【発明の詳細な説明】
【技術分野】
【０００１】  本発明は、成型品を使った野菜の新芽を保護する容器に関するものである。
【背景技術】
【０００２】  従来、ダイコンやナス等野菜の種を苗床に植えた上に半円形の支柱を立て、支柱の上にビニールやネットを張って新芽の保護をしていた。
【発明の開示】
【発明が解決しようとする課題】
【０００３】  そのために、次のような問題点があった。
（イ）苗床全体に半円形の支柱を立て、その上にビニールやネットを張るため労力と時間が多く必要である。
（ロ）この作業はビニールやネットがたるみやすく、上手に固定するためには技術と経験が必要である。
本発明は以上の問題点を解決するものである。
【問題を解決するための手段】
【０００４】  容器の上部に煙突状の通気孔を設け、側面には小さな通気孔を複数設ける。容器の下部には苗床に差し込みやすくするため、山形状の差し込み部を設ける。以上を特徴とする新芽保護容器である。
【発明の効果】
【０００５】  野菜が発芽した時、容器を発芽した新芽に覆いかぶせて苗床に差し込む。したがって、従来の支柱を立て、ビニールやネットを張って固定するという労力と時間がなくなる。このことは誰でも出来るのでビニールやネットを設置するための技術や経験を必要としないので、素人でも簡単に新芽の保護が出来る。
【発明を実施するための最良の形態】
【０００６】  以下、本発明の実施の形態について説明する。
（イ）透明でペットボトル状の容器（１）の上部に通気孔（２）を設け、容器（１）の側面全周に複数の通気孔（３）を設ける。下部は容器（１）の側面全周に山形状の差し込み部（４）を設ける。
（ロ）容器（１）は新芽に太陽光を充分供給することにより、保温効果と成長を促進させるために透明なものを使用する。
（ハ）通気孔（２）は新芽に水を噴霧するために設ける。
（ニ）それぞれの通気孔（２）と（３）は新芽の呼吸を助けると同時に、保温が過度にならないために設ける。
（ホ）通気孔（３）は苗床に露出した容器の高さの半分から上の位置に設ける。これはアリや毛虫等の害虫から新芽を保護するためである。
本発明は、以上のような構成で、これを使用する時は、野菜が発芽したら、上から発芽した新芽に覆いかぶせるようにして苗床に差し込むだけである。
【図面の簡単な説明】
【０００７】
【図１】本発明の斜視図
【図２】従来の新芽育成保護の説明図
【図３】本発明の使用説明図
【図４】本発明を連続して設置した状態の説明図
【符号の説明】
【０００８】  １  容器
２  通気孔
３  通気孔
４  差し込み部
【図１】
2006158371.tif 000003
【図２】
2006158371.tif 000004
【図３】
2006158371.tif 000005
【図４】
2006158371.tif 000006
(57)【要約】      （修正有）【課題】カーブソー専用と限定せず、足部締着ベルト挿通孔に締着ベルトを挿通し、ケース本体を人体足部に締着したり、ズボンベルトに吊着して作業時に携帯できるようにし、カーブソーや直方形状の鋸も収納でき、更に高枝用折畳鋸では使用後に鋸刃をケース本体に収納したまま折畳め、ポール柄部にポール嵌着ケースフックを嵌着して、転倒防止などの安全性を高めたカーブソーケースを提供する。【解決手段】全体が緩やかな湾曲となる中空状で任意形のケース本体１において、ケース本体上部の一側と下部の両側に足部締着ベルト挿通孔２を設け、ケース本体上部の他側に着脱自在の擦過強化板３を取り付け、表面上端に拡幅部４を設け、ケース本体の一側下端にポール嵌着ケースフック取付部５を形成し、ポール嵌着ケースフック６を着脱自在で取り付け、ケース本体の裏面上端に一体成形となる吊締係止枠７を設け、吊着帯フック８を着脱自在に嵌着できる。【選択図】  図１
2006158376.tif 000002
【特許請求の範囲】
【請求項１】
全体が緩やかな湾曲となる中空状で任意形のケース本体において、ケース本体上部の一側と下部の両側に足部締着ベルト挿通孔を設け、ケース本体上部の他側に着脱自在の擦過強化板を取り付け、表面上端に拡幅部を設け、ケース本体の一側下端にポール嵌着ケースフック取付部を形成し、ポール嵌着ケースフックを着脱自在で取り付け、ケース本体の裏面上端に一体成形となる吊締係止枠を設け、吊着帯フックを着脱自在に嵌着できることを特徴とするカーブソーケース。
【請求項２】
長方形状の鋸刃も挿着収納できる請求項１記載のカーブソーケース。
【請求項３】
前記ケース本体の足部締着ベルト挿通孔に足部締着ベルトを挿通し、人体足部にケース本体を締着したり、ズボンベルトに吊着帯フックを通して吊着し、作業時に携帯できる請求項１または請求項２記載のカーブソーケース。
【請求項４】
高枝用折畳鋸の使用後に、鋸刃をケース本体に挿着収納したまま折畳み、ポール柄部にポール嵌着ケースフックで嵌着し、立掛け収納時の転倒防止手段となる請求項１記載のカーブソーケース。
【発明の詳細な説明】
【技術分野】
【０００１】    本発明は、カーブソーケースに関する。
【背景技術】
【０００２】    従来、カーブソーケースとしては、鋸を使用しない状態での収納ケース及び、特定の鋸の専用で携帯が可能なケースがあった。
【特許文献１】      特願  平６−２８９８８      特開  平７−２１３１７１
【発明の開示】
【発明が解決しようとする課題】
【０００３】    従来、カーブソーケースは、カーブソー専用となる収納ケースであり、鋸を使用しない時の単なる収納ケースがあった為、鋸の使用時には不要な問題があった。【０００４】    本発明は、カーブソー専用の収納ケースとして使用を限定せず、足部締着ベルト挿通孔に締着ベルトを挿通し、ケース本体を人体足部に締着したり、ズボンベルトに吊着して作業時に携帯できるようにし、カーブソーや直方形状の鋸も収納でき、更に高枝用折畳鋸では使用後に鋸刃をケース本体に収納したまま折畳め、ポール柄部にポール嵌着ケースフックを嵌着して、転倒防止などの安全性を高めたカーブソーケースの提供を目的とするものである。
【課題を解決するための手段】
【０００５】    前記の課題を達成するため、全体が緩やかな湾曲となる中空状で任意形のケース本体において、ケース本体上部の一側と下部の両側に足部締着ベルト挿通孔を設け、ケース本体上部の他側に着脱自在の擦過強化板を取り付け、表面上端に拡幅部を設け、ケース本体の一側下端にポール嵌着ケースフック取付部を形成し、ポール嵌着ケースフックを着脱自在で取り付け、ケース本体の裏面上端に一体成形となる吊締係止枠を設け、吊着帯フックを着脱自在に嵌着できる手段を講ずる。【０００６】    また、長方形状の鋸刃も挿着収納できることが好ましい。【０００７】    そして、足部締着ベルト挿通孔に足部締着ベルトを挿通し、人体足部にケース本体を締着したり、ズボンベルトに吊着して作業時に携帯できることが好ましい。【０００８】    さらに、高枝用折畳鋸の使用後に、鋸刃をケース本体に挿着収納したまま折畳み、ポール柄部にポール嵌着ケースフックで嵌着し、立掛け収納時の転倒防止手段となることが好ましい。
【発明の効果】
【０００９】    本発明のカーブソーケースにおいて、鋸を使用しない時の単なる収納ケースではなく、人体足部にケース本体を締着や、ズボンベルトに吊着して携帯できるようになるので、高所作業などの鋸の使用に便利になるとともに、折畳鋸や直方形状の鋸も収納できるので作業効率に有用なものである。
【発明の実施するための最良の形態】
【００１０】    以下、本発明の実施の形態にもとづき図面を参照して説明する。
【００１１】    図１〜図２に示す実施例では、全体が緩やかな湾曲となる中空状で任意形のケース本体１において、ケース本体１上部の一側と下部の両側に脚部締着ベルト挿通孔２を設け、ケース本体１上部の他側に着脱自在の擦過強化板３を取り付け、表面上端に拡幅部４を設け、ケース本体１の一側下端にポール嵌着ケースフック取付部５を形成し、ポール嵌着ケースフック６を着脱自在で取り付け、ケース本体１の裏面上端に一体成形となる吊締係止枠７を設け、吊着帯フック８を着脱自在に嵌着できるようにしている。
【００１２】    そして、図３に示す実施例では、長方形状の鋸刃９も挿着収納できるようにしている。
【００１３】    また、図４〜図５に示す実施例では、足部締着ベルト挿通孔２に足部締着ベルト１０を挿通し、人体足部１１にケース本体１を締着したり、ズボンベルト１２に吊着して作業時に携帯できるようにしている。
【００１４】    さらに、図６に示す実施例では、高枝用折畳鋸１３の使用後に、鋸刃をケース本体１に挿着収納したまま折畳み、ポール柄部１４にポール嵌着ケースフック６で嵌着し、立掛け収納時の転倒防止となる。
【図面の簡単な説明】
【００１５】
【図１】  本発明の実施例を示す斜視図である。
【図２】  本発明のカーブソーケース裏面の実施例を示す平面図である。
【図３】  本発明のカーブソーケースの内部に長方形状の鋸刃を挿着した透視図である。
【図４】  本発明のカーブソーケースを人体足部に足部締着ベルトで取り付けて使用する実施例を示す参考図である。
【図５】  本発明のカーブソーケースをズボンベルトに吊着した実施例を示す参考図である。
【図６】  本発明のカーブソーケースを高枝用折畳鋸の鋸刃に挿着して使用後折畳み収納を示す参考図である。
【符号の説明】
【００１６】      １  ケース本体
２  足部締着ベルト挿通孔
３  擦過強化板
４  拡幅部
５  ポール嵌着ケースフック取付部
６  ポール嵌着ケースフック
７  吊締係止枠
８  吊着帯フック
９  長方形状の鋸刃
１０  足部締着ベルト
１１  人体足部
１２  ズボンベルト
１３  高枝用折畳鋸
１４  ポール柄部
【図１】
2006158376.tif 000003
【図２】
2006158376.tif 000004
【図３】
2006158376.tif 000005
【図４】
2006158376.tif 000006
【図５】
2006158376.tif 000007
【図６】
2006158376.tif 000008
(57)【要約】【課題】減塩度が極端に減少し、保存性、防腐性に優れ、かつ、食味感が良好な小梅塩昆布酢漬け方法を提供する。【解決手段】洗浄工程１及び乾燥工程２を経た小梅を、別個に食塩を使用することなく、塩昆布に付着した塩分のみで良く揉み込み（工程３）、この塩昆布とともに、小梅に酢を加えて（工程４）、所定期間保存（工程５）することを特徴とする。【選択図】      図１
2006158375.tif 000002
【特許請求の範囲】
【請求項１】
ごみ、汚れ等を落とすために小梅を洗浄する小梅洗浄工程と、
この小梅洗浄工程を経て洗浄した小梅を自然乾燥する小梅乾燥工程と、
この小梅乾燥工程を経て乾燥された小梅に塩昆布を加えて良く揉み込む工程と、
この塩昆布揉み込み工程を経た小梅に酢を加える工程と、
上記工程を経た酢漬け小梅を所定期間保存する小梅保存工程と、
を含むことを特徴とする小梅塩昆布酢漬け方法。
【請求項２】
塩昆布の塩分の他に、別個に食塩を使用しないことを特徴とする請求項１に記載の小梅塩昆布酢漬け方法。
【発明の詳細な説明】
【技術分野】
【０００１】  本発明は、小梅を塩昆布で揉み込んで酢漬けにし、減塩性、保存性、防腐性及び食味感豊かな小梅塩昆布酢漬け方法に関するものである。
【背景技術】
【０００２】  従来から梅干の減塩法として、梅干を酢漬けにする方法（例えば、特開平４−１７９４３６号、特開平８−２１４７７２号、特開２００３−２５０４４２号など）がある。【０００３】  上記特開平４−１７９４３６号公報に記載されたものは、通常の塩分、例えば含有塩分２５％の梅干を食酢中に約８時間漬けておいて含有塩分を５％程度にするというような食酢漬けによる梅干の減塩法（以下、第１例という。）である。【０００４】  上記特開平８−２１４７７２号公報に記載されたものも、第１例と同様に梅干を食酢に浸漬することにより梅干の含有塩分を低減させようとするものである（以下、第２例という。）。【０００５】  上記特開２００３−２５０４４２号公報に記載されたものは、種抜き梅に穀物酢、紫蘇、氷砂糖を加えて保存性及び食感の良い梅酢漬け方法に関するものである（以下、第３例という。）【０００６】
【特許文献１】  特開平４−１７９４３６号
【特許文献２】  特開平８−２１４７７２号
【特許文献３】  特開２００３−２５０４４２号
【発明の開示】
【発明が解決しようとする課題】
【０００７】（１）上記従来の第１例、第２例では、通常の製法で作った梅干を酢漬けにすることにより減塩することができるが、食味に欠ける難点がある。
（２）上記従来の第３例では、食酢を使用するものではあるが、紫蘇、氷砂糖を加えて種抜き梅のもっぱら食感を良くしようとするものであり、減塩を目的としているものではない。【０００８】  本発明は、上記のような課題を解決するためになされたもので、梅漬けの減塩度が高く、かつ、食味に優れた小梅塩昆布酢漬け方法を提供することを目的とする。
【課題を解決するための手段】
【０００９】  本発明は上記目的を達成するために、ごみ、汚れ等を落とすために小梅を洗浄する小梅洗浄工程と、
この小梅洗浄工程を経て洗浄した小梅を自然乾燥する小梅乾燥工程と、
この小梅乾燥工程を経て乾燥された小梅に塩昆布を加えて良く揉み込む工程と、
この塩昆布揉み込み工程を経た小梅に酢を加える工程と、
上記工程を経た酢漬け小梅を所定期間保存する小梅保存工程と、
を含むことを特徴とするものである。【００１０】  上記解決手段において、特に小梅乾燥工程を経て乾燥された小梅を、塩昆布を加えて良く揉み込むことにより、塩分を全く別個に加えることなく梅漬けすることが可能となる。このことにより減塩度は極端に減少し、きわめて優れた健康食品となる。また、塩昆布で良く揉み込むことにより、グルタミン等の旨味成分が抽出され、食味を良好にすることができる。
【発明の効果】
【００１１】  上述したように本発明の小梅塩昆布酢漬け方法は、従来の梅漬け方法に比べ減塩度に優れ、しかも食味感が良いので毎日食べても飽きがこず、また、酢漬けであるために保存性、防腐性等にも優れている。
【発明を実施するための最良の形態】
【実施例】
【００１２】  以下に、本発明の実施例を図１に基づいて説明する。
図において、１は小梅洗浄工程を示す。この工程１では、小梅の中に小さな虫、ごみ等が入っていないか確認し、また、傷付いたものや変色した小梅の実等を取り除きながら手早く数回水道水等で洗浄する。【００１３】  次に、小梅乾燥工程２に移る。この小梅乾燥工程２では、きれいに洗った小梅の実の水分を十分切ってから籠や笊等に入れて風通しの良い場所で天日により自然乾燥する。【００１４】  次いで、上記の工程を経た小梅を塩昆布で揉み込む工程３に移る。
この工程３では、乾燥した小梅を例えばボール等の容器に１ｋｇ程度入れ、その上に塩昆布１袋７０〜８０ｇ入りを小梅の上に振り入れて良く混ぜ合わせる。また、混ぜ合わせた小梅に昆布の旨味が良くしみ込むように万遍なく揉み込むことによりあざやかな色合いとなってくる。【００１５】  次に、酢を加える工程４に移る。
この工程４では、酸としての酢を使うので、それに耐え得る容器として例えば甕等の瀬戸物容器を使用するのが好ましい。かかる容器に上記工程３を経て良く揉み込んだ小梅を入れ、この小梅がたっぷりと漬かるぐらいまで、酢を注ぎ込む。
なお、ここで使用する酢については特に限定するものではなく、通常の穀物酢等であれば良い。【００１６】  最後に、小梅保存工程５に移り、上記工程４を経た後、約１箇月くらいすると、小梅と昆布が良く馴染み美味しさ醸し出すようになる。また、梅の実る季節は気温、湿度とも高い日が続くが別個に食塩を使用しなくても塩昆布の塩分と食酢の酸の作用により長期間保存が可能となる。
【産業上の利用可能性】
【００１７】  上記の実施例では、小梅塩昆布酢漬け方法について述べたが、勿論、中サイズ、大サイズとなる梅の塩昆布酢漬け方法にも適用することが可能である。
【図面の簡単な説明】
【００１８】
【図１】  本発明の実施例を示す小梅塩昆布酢漬け方法のフローチャートである。
【符号の説明】
１    小梅洗浄工程
２    小梅乾燥工程
３    小梅を塩昆布で揉む工程
４    酢を加える工程
５    小梅保存工程
【図１】
2006158375.tif 000003
(57)【要約】      （修正有）【課題】甲殻類の自然の美しい形を生かした食品容器及び容器詰め食品の製造方法の提供。【解決手段】甲殻類特にカニの甲羅をはがし、中にもち米、練製品、カニ肉調味料を入れた後、前記甲羅を元に戻す工程、更にカニ足の部分に穴をあけポンプで食品を送り込む工程を経て、次にこれを蒸すことによる食品容器及び容器詰め食品の製造法。エビの場合は、せわたを取り、腹の殻に穴をあけ、果肉を出した後食品を注入し、蒸すことにより製する。【選択図】なし【特許請求の範囲】
【請求項１】
甲殻類のそのまんまに近い形で食品の容器としうる製造法及ひ食品
【発明の詳細な説明】
【発明の詳細な説明】
【０００１】本発明は甲殻類の全形を生かした食品及食品容器の生む製造に関するもので有る
【０００２】〔従来の技術〕
従来は甲殻の一部分を切り取って、使っているのみ。
【０００３】〔発明が解決しようとする課題〕
本発明は本来甲殻類の美くしい形をたもつためと、味に努力した。
【０００４】〔課題を解決するための手段〕
その結果殻に小さな穴を開け庄力をかけて、食品を注入すると、形をくずさず果肉と合って美味しく成る事を発見し解決を見た。
【０００５】〔作用〕
本発明の食品及び容器は長時間風味を損う事なく自然の美くしい形と味をたもつ。
【０００６】〔実施例〕
カニの甲殻をはがし中のふ及び砂、よごれを取り除きその中にもち来、ねり製品、カニ肉調味料を入れ、もとにもどし足のうら側に穴を開けポンプで食品を送り込こみこれをむし器に入れて、むすエビの場合はせわたを竹ぐしで取り腹の殻に穴を開け、食品を注入するポンプ中に送り込む時前に果肉をすい出した殻に又送り込みこれをむすと出きる。
【０００７】〔発明の効果〕
以上の例において自然体の容器を持つ風味よい食品が生れる。